(57)【要約】【課題】圧電素子の数が増えた場合であっても、入力部に対する押圧荷重の検出感度が低下する可能性を低減することができる入力装置、表示装置、および機器を提供する。【解決手段】入力装置Ｘ１は、タッチパネル２と、タッチパネル２に配置された複数の圧電素子３ａと、タッチパネル２に対する押圧位置に基づいて、複数の圧電素子３のうち検出対象とすべき圧電素子３を決定し、決定した圧電素子３の出力信号に基づいてタッチパネル２に対する押圧荷重を検出する制御部５３と、を備える。【選択図】図１
2013214197.tif 000002
【特許請求の範囲】
【請求項１】
入力部と、
前記入力部に配置された複数の圧電素子と、
前記入力部に対する押圧位置に基づいて、複数の前記圧電素子のうち検出対象とすべき前記圧電素子を決定し、決定した前記圧電素子の出力信号に基づいて前記入力部に対する押圧荷重を検出する制御部と、を備える入力装置。
【請求項２】
前記入力部は、複数の区画領域を有した入力領域を有しており、
複数の前記圧電素子は、複数の前記区画領域のそれぞれに対応して配置されており、
前記制御部は、前記入力部に対する押圧位置を含む前記区画領域に対応して配置された圧電素子を検出対象とすべき圧電素子として決定する、請求項１に記載の入力装置。
【請求項３】
複数の前記区画領域のそれぞれを識別するための区画識別情報が記録された記録部をさらに備え、
前記制御部は、前記記録部に記録された前記区画識別情報に基づいて、前記入力部に対する押圧位置がどの前記区画領域に含まれているのかを判定する、請求項２に記載の入力装置。
【請求項４】
前記制御部は、検出した押圧荷重が所定の基準を満たした際に、前記入力部を押圧している押圧対象に対して触感を呈示するように前記圧電素子を駆動させる、請求項１〜３のいずれか一項に記載の入力装置。
【請求項５】
前記制御部は、複数の前記圧電素子の全てを駆動させる、請求項４に記載の入力装置。
【請求項６】
前記制御部は、検出対象とすべき前記圧電素子として決定された当該圧電素子のみを駆動させる、請求項４に記載の入力装置。
【請求項７】
請求項１〜６のいずれか一項に記載の入力装置と、
前記入力装置に対向して配置された表示パネルと、
前記表示パネルが収容された筐体と、を備えた表示装置。
【請求項８】
前記表示パネルは、液晶パネルまたは有機ＥＬパネルである、請求項７に記載の表示装置。
【請求項９】
請求項７または８に記載の表示装置を備えた機器。
【発明の詳細な説明】
【技術分野】
【０００１】
本発明は、入力装置、表示装置、および機器に関する。
【背景技術】
【０００２】
近年、タッチパネルのような入力部を備えた入力装置において、使用者がこのタッチパネルを操作した場合に、使用者に対して、押圧感、なぞり感、肌触り感等の様々な触感を呈示する触覚伝達技術が知られている（例えば、特許文献１参照）。このような入力装置は、タッチパネルと、タッチパネルに配置された圧電素子と、を備えている。また、入力装置は、圧電素子の出力信号に基づいてタッチパネルに対する押圧荷重を検出し、検出した押圧荷重が所定の基準を満たした際に、タッチパネルを押圧している使用者に対して触感を呈示するように圧電素子を駆動する制御部を備えている。
【先行技術文献】
【特許文献】
【０００３】
【特許文献１】特開２００３−１２２５０７号公報
【発明の概要】
【発明が解決しようとする課題】
【０００４】
ところで、使用者に対して十分な触感を呈示するためには、タッチパネル全体を十分に湾曲振動させる必要がある。すなわち、タッチパネルのサイズが大きくなるほど、タッチパネルに配置するべき圧電素子の数も増やす必要がある。そして、圧電素子の数が増えた場合、制御部において、全ての圧電素子の出力信号に基づいてタッチパネルに対する押圧荷重を検出しようとすると、全ての圧電素子の出力信号を平均化して所定の基準と比べることになり、タッチパネルに対する押圧荷重の検出感度が低下する。このため、圧電素子の数が増えた場合には、押圧荷重を検出するための工夫が必要となる。
【０００５】
本発明は、上記の問題点に鑑みてなされたものであり、その目的は、圧電素子の数が増えた場合であっても、入力部に対する押圧荷重の検出感度が低下する可能性を低減することができる入力装置、表示装置、および機器に関する。
【課題を解決するための手段】
【０００６】
本発明の入力装置における一態様は、入力部と、前記入力部に配置された複数の圧電素子と、前記入力部に対する押圧位置に基づいて、複数の前記圧電素子のうち検出対象とすべき前記圧電素子を決定し、決定した前記圧電素子の出力信号に基づいて前記入力部に対する押圧荷重を検出する制御部と、を備える。
【０００７】
本発明の表示装置における一態様は、本発明に係る入力装置と、前記入力装置に対向して配置された表示パネルと、前記表示パネルが収容された筐体と、を備える。
【０００８】
本発明の機器における一態様は、本発明に係る表示装置を備える。
【発明の効果】
【０００９】
本発明の入力装置、表示装置、および携帯端末は、圧電素子の数が増えた場合であっても、入力部に対する押圧荷重の検出感度が低下する可能性を低減することができる、という効果を奏する。
【図面の簡単な説明】
【００１０】
【図１】本実施形態に係る入力装置の概略構成を示すブロック図である。
【図２】タッチパネルの概略構成を示す平面図である。
【図３】入力領域を４つの区画領域に分割した状態を示す図である。
【図４】記録部に記録されたデータ構造の一例を示す図である。
【図５】制御部の押圧荷重の検出動作の一例を示すフローチャートである。
【図６】本実施形態に係る表示装置の概略構成を示す断面図である。
【図７】本実施形態に係る携帯端末の概略構成を示す斜視図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力装置、表示装置、および機器は、本明細書が参照する各図に示されていない任意の構成部材を備え得る。また、符号は、同一または類似する構成のものについて、例えば、「圧電素子３ａ〜３ｄ」のように、同一の符号に小文字のアルファベットの付加符号を付すことがある。また、この場合において、単に「圧電素子３」という等、上記の付加符号を省略することがあるものとする。
【００１３】
図１は、本実施形態に係る入力装置Ｘ１の概略構成を示すブロック図である。図１に示すように、入力装置Ｘ１は、タッチパネル２、圧電素子３、タッチパネルドライバ４、および触覚伝達ドライバ５を備えている。
【００１４】
タッチパネル２は、使用者が指あるいはペン等で操作した箇所を入力位置として検出する入力部である。図２は、タッチパネル２の概略構成を示す平面図である。図２に示すように、タッチパネル２は、入力領域Ｅ１および非入力領域Ｅ２を有している。入力領域Ｅ１は、使用者が入力操作をすることができる領域である。非入力領域Ｅ２は、使用者が入力操作をすることができない領域である。本実施形態に係る非入力領域Ｅ２は、入力領域Ｅ１を取り囲むように当該入力領域Ｅ１の外側に位置しているが、これに限らない。例えば、入力領域Ｅ１内に非入力領域Ｅ２が位置していてもよい。
【００１５】
本実施形態では、タッチパネル２は、投影型の静電容量方式のタッチパネルであるが、これに限らず、表面型の静電容量方式のタッチパネル、抵抗膜方式のタッチパネル、表面弾性波方式のタッチパネル、赤外線方式のタッチパネル、電磁誘導方式のタッチパネル等であってもよい。すなわち、タッチパネル２の方式については特に限定されない。
【００１６】
タッチパネル２は、基体２１、第１検出電極パターン２２、第２検出電極パターン２３、および検出用配線２４を備えている。なお、タッチパネル２は、第１検出電極パターン２２、第２検出電極パターン２３、および検出用配線２４以外に、非入力領域Ｅ２を加飾する加飾層、検出電極パターン２２，２３を保護する保護層、あるいは基体２１の主面を保護する保護フィルム等が設けられていてもよい。
【００１７】
基体２１は、第１検出電極パターン２２、第２検出電極パターン２３、および検出用配線２４を支持する役割を有する。基体２１は、絶縁性を有するとともに、基体２１の主面に交差する方向に入射する光に対して透光性を有する構成とされている。このため、基体２の構成材料としては、例えば、ガラスあるいはプラスチック等が挙げられる。
【００１８】
第１検出電極パターン２２は、入力領域Ｅ１に対応する基体２１に接近した使用者の指との間において静電容量を発生し、Ｙ方向における入力位置を検出する役割を有する。第１検出電極パターン２２は、入力領域Ｅ１に対応する基体２１上に、Ｙ方向に並んで複数
設けられている。
【００１９】
第２検出電極パターン２３は、入力領域Ｅ１に対応する基体２１に接近した使用者の指との間において静電容量を発生し、Ｘ方向における入力位置を検出する役割を有する。第２検出電極パターン２３は、入力領域Ｅ１に対応する基体２１上に、Ｘ方向に並んで複数設けられている。
【００２０】
なお、第１検出電極パターン２２と第２検出電極パターン２３とが交差する部分には、図示しない絶縁体が設けられている。すなわち、絶縁体は、第１検出電極パターン２２と第２検出電極パターン２３との間に設けられている。絶縁体により第１検出電極パターン２２と第２検出電極パターン２３とは電気的に絶縁されることになる。
【００２１】
第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子等が挙げられる。
【００２２】
検出用配線２４は、第１検出電極パターン２２および第２検出電極パターン２３に対して電圧を印加する役割、および、第１検出電極パターン２２および第２検出電極パターン２３と使用者の指との間において発生した静電容量の変化を検出する役割を有する。検出用配線２４は、その一端部が第１検出電極パターン２２および第２検出電極パターン２３と電気的に接続され、その他端部が外部導通領域Ｇ１に位置している。なお、外部導通領域Ｇ１には、図示しないフレキシブル基板が接続される。検出用配線２４は、このフレキシブル基板を介して、タッチパネルドライバ４と電気的に接続される。
【００２３】
検出用配線２４は、例えば、硬質で高い形状安定性を得るべく、金属薄膜で構成されている。金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。
【００２４】
圧電素子３は、触覚伝達ドライバ５の制御により、圧電正効果を利用して、タッチパネル２に対する押圧荷重を検出するための荷重検出モード３１と、圧電逆効果を利用して、タッチパネル２を湾曲振動させる触感呈示モード３２とのいずれかのモードで動作する。荷重検出モード３１では、圧電素子３は、タッチパネル２に対する押圧荷重に対応する出力信号を触覚伝達ドライバ５へ供給する。触感呈示モード３２では、圧電素子３は、触覚伝達ドライバ５から供給される駆動信号に応じてタッチパネル２を湾曲振動させて、タッチパネル２を押圧している使用者（押圧対象）に対して駆動信号に応じた所定の触感を呈示する。なお、圧電素子３は、モノモルフ、ユニモルフ、バイモルフ等のいずれであってもよい。
【００２５】
圧電素子３は、タッチパネル２の非入力領域Ｅ２に配置されている。本実施形態では、タッチパネル２の一方の長辺に沿って圧電素子３が２つ（圧電素子３ａ、圧電素子３ｃ）、タッチパネル２の他方の長辺に沿って圧電素子３が２つ（圧電素子３ｂ、圧電素子３ｄ）、合計４つの圧電素子３がタッチパネル２の非入力領域Ｅ２に配置されている。なお、圧電素子３は複数有していればよく、その数については特に限定されない。
【００２６】
本実施形態では、圧電素子３ａ〜３ｄそれぞれに対して、個別に、図示しないフレキシブル基板が接続されている。圧電素子３ａ〜３ｄは、このフレキシブル基板を介して、触覚伝達ドライバ５と電気的に接続される。このため、本実施形態では、圧電素子３ａ〜３ｄ毎に個別に圧電素子３ａ〜３ｄの出力信号を取得することができるとともに、圧電素子
３ａ〜３ｄに対して個別に駆動信号を供給することができる。
【００２７】
タッチパネルドライバ４は、第１検出電極パターン２２および第２検出電極パターン２３と使用者の指との間において発生した静電容量の変化に基づいて、タッチパネル２に対する使用者の押圧位置を算出する。タッチパネルドライバ４は、算出した押圧位置を触覚伝達ドライバ５へ供給する。なお、タッチパネルドライバ４は、例えば、外部導通領域Ｇ１に接続されたフレキシブル基板と電気的に接続された図示しない回路基板上に設けられている。なお、回路基板は、例えば、後述するバックライト１０２の背面側に配置される。
【００２８】
触覚伝達ドライバ５は、信号受付部５１、記録部５２、制御部５３、および信号供給部５４を備えている。なお、信号受付部５１、制御部５３、および信号供給部５４は、以下で説明するようにプログラム等のソフトウェアにて実現してもよいし、デジタル回路等のハードウェアにて実現してもよい。なお、触覚伝達ドライバ５は、タッチパネルドライバ４と同様、例えば、圧電素子３に接続されたフレキシブル基板と電気的に接続された回路基板上に設けられている。
【００２９】
信号受付部５１は、圧電素子３ａ〜３ｄのそれぞれから供給された押圧荷重に対応する出力信号を受け付ける。信号受付部５１は、受け付けた出力信号に対して、圧電素子３ａ〜３ｄのそれぞれを識別するための素子識別情報を付加する。信号受付部５１は、素子識別情報を付加した出力信号を制御部５３へ供給する。
【００３０】
記録部５２は、入力領域Ｅ１を複数の区画領域に分割した場合における、複数の区画領域のそれぞれを識別するための区画識別情報を記録する。ここで、記録部５２は、触覚伝達ドライバ５が有するＲＯＭあるいはＲＡＭ等のメモリによって実現される。
【００３１】
図３は、入力領域Ｅ１を４つの区画領域Ａ〜Ｄに分割した状態を示す図である。図３に示すように、入力領域Ｅ１は、４つの区画領域Ａ〜Ｄのそれぞれが均等な面積となるように、４つの区画領域Ａ〜Ｄを有している。本実施形態では、区画領域Ａに対応して圧電素子３ａが配置されている。また、区画領域Ｂに対応して圧電素子３ｂが配置されている。また、区画領域Ｃに対応して圧電素子３ｃが配置されている。さらに、区画領域Ｄに対応して圧電素子３ｄが配置されている。
【００３２】
なお、上記では、入力領域Ｅ１を４つの区画領域に分割した例について説明したが、これに限らない。入力領域Ｅ１を分割する区画領域の数については任意である。
【００３３】
図４は、記録部５２に記録されたデータ構造の一例を示す図である。図４に示すように、記録部５２には、区画領域および区画識別情報が記録されている。また、記録部５２には、区画識別情報に対応付けられて素子識別情報も記録されている。例えば、区画領域Ａに対応付けられて、区画識別情報（Ｘ１，Ｙ１）、（Ｘ１，Ｙ２）、（Ｘ２，Ｙ２）、（Ｘ２，Ｙ１）が記録されている。なお、図３および図４に示すＸ１〜Ｘ３は、入力領域Ｅ１のＸ座標をそれぞれ示している。また、Ｙ１〜Ｙ３は、入力領域Ｅ１のＹ座標をそれぞれ示している。また、区画識別情報に対応付けられて、素子識別情報「圧電素子３ａ」が記録されている。
【００３４】
制御部５３は、タッチパネル２に対する押圧位置に基づいて、複数の圧電素子３のうち検出対象とすべき圧電素子３を決定し、決定した圧電素子３の出力信号に基づいてタッチパネル２に対する押圧荷重を検出する。以下、制御部５３による押圧荷重の検出動作について図５を用いて詳細に説明する。
【００３５】
図５は、制御部５３の押圧荷重の検出動作の一例を示すフローチャートである。図５に示すように、制御部５３は、信号受付部５１から供給された、素子識別情報が付加された出力信号を取得する（Ｏｐ１）。本実施形態では、制御部５３は、素子識別情報「圧電素子３ａ〜３ｄ」がそれぞれ付加された４つの出力信号を取得したものとする。そして、制御部５３は、タッチパネルドライバ４から供給された、タッチパネル２に対する使用者の押圧位置を取得する（Ｏｐ２）。
【００３６】
次に、制御部５３は、記録部５２に記録された区画識別情報に基づいて、Ｏｐ２にて取得された押圧位置がどの区画領域に含まれているのかを判定する（Ｏｐ３）。本実施形態では、制御部５３は、Ｏｐ２にて取得された押圧位置が区画領域Ａに含まれていたと判定したものとする。なお、制御部５３は、記録部５２にアクセスするだけで、押圧位置がどの区画領域に含まれているのかを容易に判定することができる。
【００３７】
そして、制御部５３は、Ｏｐ３にて判定された区画領域が示す区画識別情報に対応付けられた素子識別情報を記録部５２から読み出す（Ｏｐ４）。本実施形態では、Ｏｐ３にて判定された区画領域Ａが示す区画識別情報（Ｘ１，Ｙ１）、（Ｘ１，Ｙ２）、（Ｘ２，Ｙ２）、（Ｘ２，Ｙ１）に対応付けられた素子識別情報「圧電素子３ａ」を、記録部５２から読み出す。
【００３８】
なお、Ｏｐ２〜Ｏｐ４の処理が終了した後に、Ｏｐ１の処理を実行してもよい。
【００３９】
そして、制御部５３は、Ｏｐ１にて取得された出力信号の中から、Ｏｐ４にて読み出された素子識別情報に対応する出力信号を抽出する（Ｏｐ５）。本実施形態では、制御部５３は、Ｏｐ１にて取得された４つの出力信号の中から、Ｏｐ４にて読み出された素子識別情報「圧電素子３ａ」に対応する出力信号を抽出する。具体的には、制御部５３は、素子識別情報「圧電素子３ａ」が付加された出力信号を抽出する。なお、抽出した出力信号以外の出力信号については、制御部５３により削除される。
【００４０】
そして、制御部５３は、Ｏｐ５にて抽出された出力信号に対応する圧電素子３を検出対象とすべき圧電素子３として決定する（Ｏｐ６）。すなわち、制御部５３は、Ｏｐ５にて抽出された出力信号に対応する圧電素子３以外の圧電素子３については検出対象とすべき圧電素子３として決定しない。本実施形態では、制御部５３は、圧電素子３ａを検出対象とすべき圧電素子３ａとして決定する。なお、Ｏｐ６の処理は、Ｏｐ５において制御部５３が出力信号を抽出していることにより、Ｏｐ５の処理と実質的に同じである。本明細書では、説明の便宜上、Ｏｐ５の処理とＯｐ６の処理とを２つに分けて記載するものとする。
【００４１】
そして、制御部５３は、Ｏｐ６にて決定された圧電素子３の出力信号に基づいてタッチパネル２に対する押圧荷重を検出する（Ｏｐ７）。本実施形態では、制御部５３は、圧電素子３ａの出力信号に基づいてタッチパネル２に対する押圧荷重を検出する。そして、制御部５３は、Ｏｐ７にて検出された押圧荷重が所定の基準以上であるか否かを判定する（Ｏｐ８）。なお、この所定の基準は、制御部５３内のメモリに記録されていてもよいし、記録部５２に記録されていてもよい。また、この所定の基準は、適宜に変更できることが好ましい。
【００４２】
Ｏｐ７にて検出された押圧荷重が所定の基準以上であると判定すれば（Ｏｐ８にてＹＥＳ）、制御部５３は、触感を呈示するための駆動信号を生成し、生成した駆動信号を信号供給部５４へ供給する（Ｏｐ９）。一方、Ｏｐ７にて検出された押圧荷重が所定の基準未満であると判定すれば（Ｏｐ８にてＮｏ）、制御部５３は、図５の処理を終了する。
【００４３】
信号供給部５４は、制御部５３により生成された駆動信号を圧電素子３へ供給する。これにより、圧電素子３は駆動し、駆動した圧電素子３によって、タッチパネル２は上下方向（タッチパネル２の厚み方向）に湾曲振動する。タッチパネル２の湾曲振動により、使用者に対して触感を呈示することができる。
【００４４】
なお、信号供給部５４は、タッチパネル２に配置された全ての圧電素子３ａ〜３ｄへ駆動信号を供給することが好ましい。このようにすると、全ての圧電素子３ａ〜３ｄにより、タッチパネル２の全体を大きく湾曲振動させることが可能となるからである。また、信号供給部５４は、Ｏｐ６にて決定された圧電素子３にのみ駆動信号を供給してもよい。このようにすると、Ｏｐ６にて決定された圧電素子３のみが駆動し、Ｏｐ６にて決定された圧電素子３以外の圧電素子３については駆動しないことから、圧電素子３を駆動するための電力を低く抑えつつ、押圧位置の周辺を中心としてタッチパネル２をある程度湾曲振動させることが可能となる。
【００４５】
このように、制御部５３は、タッチパネル２に対する押圧位置に基づいて、複数の圧電素子３のうち検出対象とすべき圧電素子３を決定する。すなわち、制御部５３は、複数の圧電素子３のうち、押圧位置に対して最も近くに位置する圧電素子３を検出対象とすべき圧電素子３として決定する。そして、制御部５３は、決定した圧電素子３の出力信号に基づいてタッチパネル２に対する押圧荷重を検出する。すなわち、制御部５３は、押圧位置に対して最も近くに位置する圧電素子３の出力信号のみに基づいてタッチパネル２に対する押圧荷重を検出する。それゆえ、入力装置Ｘ１では、圧電素子３の数が増えた場合であっても、タッチパネル２に対する押圧荷重の検出感度が低下する可能性を低減することができる。
【００４６】
なお、使用者によって入力領域Ｅ１の中心部（Ｘ２，Ｙ２）が押圧された場合、制御部５３は、複数の圧電素子３の全てを検出対象とすべき圧電素子３として決定する。この場合、制御部５３は、複数の圧電素子３の出力信号を平均化してタッチパネル２に対する押圧荷重を検出する。また、使用者によって区画領域Ａと区画領域Ｂとの境界が押圧された場合、制御部５３は、複数の圧電素子３のうち、区画領域Ａに対応して配置された圧電素子３ａおよび区画領域Ｂに対応して配置された圧電素子３ｂを、検出対象とすべき圧電素子３として決定する。この場合、制御部５３は、圧電素子３ａおよび圧電素子３ｂの出力信号を平均化してタッチパネル２に対する押圧荷重を検出する。なお、区画領域Ａと区画領域Ｃとの境界が押圧された場合、区画領域Ｂと区画領域Ｄとの境界が押圧された場合、および区画領域Ｃと区画領域Ｄとの境界が押圧された場合であっても、これと同様である。
【００４７】
また、上記では、４つの区画領域Ａ〜Ｄに対応して４つの圧電素子３ａ〜３ｄが配置されている例について説明したが、これに限らない。１つの区画領域に対応して２以上の圧電素子３が配置されていてもよい。
【００４８】
次に、入力装置Ｘ１を備えた表示装置Ｙ１について、図６を参照しながら説明する。
【００４９】
図６に示すように、本実施形態に係る表示装置Ｙ１は、入力装置Ｘ１と、入力装置Ｘ１に対向して配置される液晶表示装置Ｚ１とを備えている。
【００５０】
液晶表示装置Ｚ１は、液晶パネル１０１、バックライト１０２、および第１筐体１０３を備えている。
【００５１】
液晶パネル１０１は、表示のために液晶組成物を利用した表示パネルである。なお、液晶パネル１０１の代わりに、プラズマパネル、有機ＥＬパネル、電子ペーパ等の表示パネ
ルを用いてもよい。ここで、有機ＥＬパネルは、電圧を印加すると発光する物質を利用した表示パネルである。具体的には、有機ＥＬパネルは、ジアミン類等の有機物を用いた発光体を基板に蒸着し、５〜１０Ｖの直流電圧を印加することで表示が行われる。なお、液晶パネル２の代わりに有機ＥＬパネルを用いた場合には、バックライト１０２は不要となる。
【００５２】
バックライト１０２は、光源１０２ａおよび導光板１０２ｂを備えている。光源１０２ａは、導光板１０２ｂに向けて光を出射する役割を担う部材であり、例えば、ＬＥＤ（Light Emitting Diode）から構成される。なお、ＬＥＤの代わりに、冷陰極蛍光ランプ、ハロゲンランプ、キセノンランプ、ＥＬ（Electro-Luminescence）であってもよい。導光板１０２ｂは、液晶パネル１０１の下面全体にわたって、光源１０２ａからの光を略均一に導くための役割を担う部材である。
【００５３】
第１筐体１０３は、液晶パネル１０１およびバックライト１０２を収容する役割を担うものであり、上側筐体１０３ａおよび下側筐体１０３ｂを備えている。第１筐体１０３の構成材料としては、例えば、ポリカーボネート等の樹脂、あるいは、ステンレス、アルミニウム等の金属が挙げられる。
【００５４】
ここで、入力装置Ｘ１と液晶表示装置Ｚ１とは、支持体１０４を介して接続される。すなわち、入力装置Ｘ１と液晶表示装置Ｚ１との間に空間が生じるように、入力装置Ｘ１と液晶表示装置Ｚ１とは、支持体１０４を介して接続される。本実施形態では、支持体１０４は、上側筐体１０３ａに設けられているが、これに限らない。支持体１０４は、下側筐体１０３ｂに設けられていてもよい。また、本実施形態では、支持体１０４は、入力装置Ｘ１における基体２１の４つの隅部に位置しているが、４つの隅部以外の部位にも位置していてもよい。支持体１０４は、入力装置Ｘ１における基体２１の湾曲振動を抑制しないように、弾性を有している。このため、支持体１０４の構成材料としては、例えば、シリコーンゴム、ウレタンゴム、発泡ウレタン、あるいはその他ゴム類等が挙げられる。
【００５５】
このように、入力装置Ｘ１は、液晶表示装置Ｚ１の液晶パネル１０１を透視しながら、入力装置Ｘ１の入力領域Ｅ１を入力操作することによって、各種の情報を入力することができる。また、入力装置Ｘ１は、基体２１を押圧している使用者に対して触感を呈示することができる。
【００５６】
表示装置Ｙ１は、入力装置Ｘ１を備えているので、圧電素子３の数が増えた場合であっても、タッチパネル２に対する押圧荷重の検出感度が低下する可能性を低減することができる。
【００５７】
次に、表示装置Ｙ１を備えた携帯端末Ｐ１について、図７を参照しながら説明する。
【００５８】
図７に示すように、本実施形態に係る携帯端末Ｐ１は、例えば、携帯電話、スマートフォン、ＰＤＡ（Personal Digital Assistant）等であって、表示装置Ｙ１と、音声入力部２０１と、音声出力部２０２と、キー入力部２０３と、第２筐体２０４とを備えている。
【００５９】
音声入力部２０１は、例えば、マイク等により構成されており、使用者の音声等が入力される。音声出力部２０２は、スピーカ等により構成されており、相手方からの音声等が出力される。キー入力部２０３は、例えば、機械的なキーにより構成される。なお、キー入力部２０３は、表示画面に表示された操作キーであってもよい。第２筐体２０４は、表示装置Ｙ１、音声入力部２０１、音声出力部２０２、およびキー入力部２０３を収容する役割を担う部材である。
【００６０】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００６１】
携帯端末Ｐ１は、表示装置Ｙ１を備えているので、圧電素子３の数が増えた場合であっても、タッチパネル２に対する押圧荷重の検出感度が低下する可能性を低減することができる。
【００６２】
なお、上記では、携帯端末Ｐ１に音声入力部２０１を備えている例について説明したが、これに限らない。すなわち、携帯端末Ｐ１には音声入力部２０１は備えられていなくともよい。
【００６３】
また、上記では、携帯端末Ｐ１は、表示装置Ｙ１、音声入力部２０１、音声出力部２０２、およびキー入力部２０３を収容する第２筐体２０４を備えている例について説明したが、これに限らない。第２筐体２０４を別個独立に設けることなく、表示装置Ｙ１における第１筐体１０３が携帯端末Ｐ１の筐体となる態様であってもよい。
【００６４】
さらに、表示装置Ｙ１は、上記の携帯端末Ｐ１の代わりに、産業用途で使用される表示器、車載用途で使用される表示器、電子手帳、パーソナルコンピュータ、複写機、ゲーム用の端末装置、テレビ、デジタルカメラ等の種々の機器に備えられていてもよい。
【符号の説明】
【００６５】
Ｘ１  入力装置
Ｙ１  表示装置
Ｐ１  携帯端末（機器）
２  タッチパネル（入力部）
３ａ〜３ｄ  圧電素子
５２  記録部
５３  制御部
１０１  液晶パネル（表示パネル）
１０３  第１筐体（筐体）
【図１】
2013214197.tif 000003
【図２】
2013214197.tif 000004
【図３】
2013214197.tif 000005
【図４】
2013214197.tif 000006
【図５】
2013214197.tif 000007
【図６】
2013214197.tif 000008
【図７】
2013214197.tif 000009